(57)【要約】      （修正有）【課題】鎖状に編む糸と緯挿入糸により経編基布を編成しながら、高収縮糸を挿入して、夏冬兼用で快適に使用できる軽量、耐洗濯性に富んだ寝装用ブランケットを提供する。【解決手段】経て編み形式で製品を製作する場合、編成組織に用いる素材に高性能な速水分吸収糸、速乾燥性の糸に現在の産業界で好評な合成繊維を用い、製品内部に空洞組織を立体的に作成する為の特殊加工により性能を発揮する高収縮糸。そして使用する人のなごむようなデザイン性を考慮した編成組織と高収縮糸の組み合わせを機械的技術で実行する。【選択図】図５
0003129382.tif 000002
【実用新案登録請求の範囲】
【請求項１】
合成繊維フィラメント、紡績糸により構成した経編み模様編目基布に合成繊維の高収縮弾性糸を用いて経編み機の高度な技術で緯度を跳ぶ幾何学模様の編み布を作成し、該高収縮弾性合繊糸の性能により収縮させ、その収縮糸の力により基布に連続凸凹調の模様加工をした寝装用布団カバー、敷きシーツ。
【請求項２】
合成繊維の超極細の集合したフィラメント１００デニール以下と綿、合繊の混紡糸を構成するか、合成繊維フィラメントと合成繊維紡績糸を用いて構成した基布にポリウレタン弾力糸と合繊、化繊糸の合撚糸を機械的編み技術を用いて緯度を跳ぶ幾何学模様の経編み構成布を制作し、ポリウレタン糸の持っている収縮力を活用し全面的に凹凸調の模様加工をした寝装用布団カバー、ブランケット。
【請求項３】
天然繊維（綿、麻）、レーヨン系化繊糸を中心に構成した基布に、紡績糸と複合コンジュゲート合成繊維糸の混撚糸を幾何学模様に跳躍させ、編み布制作後加熱処理によりコンジュゲート糸の収縮テンションを活用し、全面的な凹凸調の模様加工をした積層状の寝装用のブランケット。
【考案の詳細な説明】
【技術分野】
【０００１】
本考案は、夏冬兼用で快適に使用できる軽量、耐洗濯性に富んだ寝装用ブランケットに関するものである。本考案は経て編み機械による鎖状に編む糸と緯挿入糸により経編基布を編成しなから高収縮糸を挿入する寝装用ブランケットである。
【背景技術】
【０００２】
従来一般に使用されている寝装用には人体に直に接するシート状の物は春用、夏用、秋冬用と季節に分かれて使用されている。従って季節によって使い分けする為、使用枚数が多く、貯蔵場所が多く必要とする。使用後の洗濯の場合には夏用の場合でも重量が多く、取り扱いしにくく、乾燥時間を必要とし、生活の合理的な時間の無駄が発生する。特に老齢者用には取り扱いに適していない問題がある。
【０００３】
この改善策としては、経て編みの機械によって通気性と保温性を兼ねた組織を作り、使用する素材を合繊フィラメントと合繊紡績糸、天然繊維、羊毛紡績糸を季節目的に合わせて編成し、軽く取り扱いし易い製品を製造した。この改善策を実行する為に基礎として活用している過去の当社文献を基に、更に技術的改善を実行した。
【特許文献１】実用新案第３０６０３９５号公報
【特許文献２】特開２００２−３６９７３９号公報
【考案の開示】
【考案が解決しようとする課題】
【０００４】
解決しようとする問題点は出来る限り軽くする必要ある目的から経編み機の特色を活用し基布の模様を空白の多い亀甲模様に制作する。従来市場にある高密度の寝具用の織物は基本的に重く３００ｇｒ／ｍ２以上である。当社は最終製品化で１３０ｇｒ／ｍ２以下にする改良手段を実行している。
【課題を解決するための手段】
【０００５】
本考案の図１に示す経編機のニードルにより基布の編成状態を機械的な作動により亀甲模様の白い製品ができる、此れを考慮し製品を作るための基布として母体の一部分に活用する。この基布を制作と同時に高性能の高収縮糸を挿入することとした。特性の収縮糸を幾何学的にテンションが発生し図６に示すの写真の如く基布に波の如き立体的な製品が生まれた。
【考案の効果】
【０００６】
本考案の経て編機によって給糸する高収縮糸の挿入は隣接する鎖編み糸間との繋がりを取りながら、緯度間を縦に対し直線状か、斜め状に浮かし跳び凹凸模様を描く為には非常に技術を要した。完成した製品は縦糸に紡績糸とフィラメントを活用したため、軽く１２０ｇ／m2以下となり、通常洗濯機には従来の毛布は５〜６枚しか投入出来ないが、本考案の製品は同じ洗濯機に５〜７枚多く洗いやすく、基布に描いた亀甲編成用によって乾燥が速く、その後の使用する時のドレープ性に富み、柔らかい凹凸加工によって肌触りを良好にしている。軽いので高齢者、医療介護を受けている者、青少年スポーツマンの持ち運び容易な寝具として製品は好評である。
【考案を実施するための最良の形態】
【０００７】
このさざなみ形式の連続的なシート状の製品を完成するため編成時に発生しやすい何千本の各種性質の異なる糸のテンション斑を３ｍ巾に渡り均一にする、そして高収縮糸の加工条件による収縮倍率を何百本の中の一本とも異常にしない事が、製品化するために重要である。このさざなみ形式の連続的なシート状の製品を完成するため編成時に発生しやすい何千本の各種性質の異なる糸のテンション斑を３ｍ巾に渡り均一にする、そして高収縮糸の加工条件による収縮倍率を何百本の中の一本とも異常にしない事が、製品化するために重要である。図６の写真に示す如くシート状にした場合に消費者が満足し使用意欲を燃やすようなデザインが喜ばれている。
【実施例】
【０００８】
本考案の図１に示す経編機のニードル（ａ）により基布の編成を状態を（ｂ）に示
す様に制作するが図２に示す様に制作図（ａ）の空白を示す（１）の部分を機械的な作動により亀甲模様の白い製品（ｂ）ができる、此れを製品を作るための基布として母体の一部分に活用する。この基布を制作するときに（図３）に示す様に高性能の高収縮糸を挿入することとした。特性の作動が出来る器具を用い（ａ）や（ｂ）の図形の如く収縮糸を幾何学的に、そして緯度を一段ずつでは無く２段、３段から９段まで接結点無く跳ばす事とした。図４に示す如く未完成の半製品写真（ａ）−１，（ｂ）−１の如くである。この半製品に特殊な条件を与えると高収縮糸の性能によりテンションが発生し図５に示す４枚の写真の如く基布に波の如き立体的な製品が生まれた。この波形立体的シート状の物が寝装品として使うために、横幅最大３ｍの連続製品として生産する。本考案の最終製品は寝装品であるから、消費者の取り扱いが、軽く、耐洗濯性が良いと判断するために、波形状の立体形式で、素材に繊維の特性を考察し応用している。
【産業上の利用可能性】
【０００９】
従来から寝具用品に用いられているのはほとんどが織機による織物製品であった、しかしそれらは早くから製造を着手する為に、材料の手配、配色指図、販売価格の予測をしなければならない、この考案によると生産の速度が速く、機械的なデザイン変更が容易に出来、亀甲模様の空洞図も簡単に変えることが出来る。更に消費者の最も要求の強いのは軽くて、洗濯時の乾燥速度を速くすることである。この世相に反映させるためには充分である。
【図面の簡単な説明】
【００１０】
【図１】経編機のニードルにより基布の編成状態を示す立体図（ａ）、基本的な一部拡大平面図（ｂ）、鎖編と緯挿入糸による編成を構成した図（ｃ）、この編成状態を具体的に作図で表現した（ｄ）。
【図２】鎖状に編む糸と緯挿入糸の編成によって製造される状態を説明する一部拡大図であり斜線を示す（１）は亀甲状の空白部分を編成する制作図（ａ）、具体的に連続組織として亀甲模様の基布が製造される状態を示す一部拡大図（ｂ）
【図３】製品の亀甲状編目の基布の編成の際、（ａ）に示す高収縮糸の挿入を示す組織図である。この高収縮糸の挿入を（ｂ）にも挿入する
【図４】本考案寝装用の亀甲模様の基布に凹凸状を作成するための高収縮糸を編成し製品加工する前の未完成写真（ａ）を示す。高収縮糸の挿入を直線に緯跳び状に示す未完成写真（ｂ）である。
【図５】加工完了の製品写真（ａ）（ｂ）（ｃ）
【図６】高収縮糸のジグザグ緯跳び状態にて制作した製品写真（ａ）（ｂ）
【符号の説明】
【００１１】
図３に示す（Ｘ）（Ｙ）高収縮糸
【図１】
0003129382.tif 000003
【図２】
0003129382.tif 000004
【図３】
0003129382.tif 000005
【図４】
0003129382.tif 000006
【図５】
0003129382.tif 000007
【図６】
0003129382.tif 000008
【手続補正書】
【提出日】平成18年11月16日(2006.11.16)
【手続補正１】
【補正対象書類名】実用新案登録請求の範囲
【補正対象項目名】全文
【補正方法】変更
【補正の内容】
【実用新案登録請求の範囲】
【請求項１】
合成繊維フィラメントと合成繊維紡績糸をもって編成した経編み基布の緯糸部分を跳ぶように高収縮弾性糸を幾何学模様で編布を作り、この高収縮弾性糸より収縮を発生させ、基布に連続の凹凸を制作した経編寝装用ブランケット。